(57)【要約】【課題】投票と意見投稿とを同一のメディアによって行えるようにする。また、投票の集計項目を容易に追加変更が可能とする。【解決手段】投票にて収集したい項目を定めた項目一覧を記憶した項目表蓄積部（１２）と、この項目表蓄積部から取得した前記項目一覧に基づいて、選択入力可能な項目と任意の文字を記述入力可能な投稿欄とを有するデータ投入用画面を作成する第１の情報公開部（２１，２３）と、前記データ投入用画面を電子的ネットワーク（３）を介して投票者端末（４）に表示させるとともに、前記投票者端末より前記データ投入用画面上で投入されたデータを受け付けるインターフェース部（２１，２３）と、受け付けたデータを記憶する記憶部（２２）と、この記憶部に記憶されたデータを項目別に集計する情報分析部（１４）とを備えたものである。【選択図】  図１
2006293518.tif 000002
【特許請求の範囲】
【請求項１】
投票にて収集したい項目を定めた項目一覧を記憶した項目一覧蓄積部と、
この項目一覧蓄積部から取得した前記項目一覧に基づいて、選択入力可能な項目と任意の文字を記述入力可能な投稿欄とを有するデータ投入用画面を作成する第１の情報公開部と、
前記データ投入用画面を電子的ネットワークを介して投票者端末に表示させるとともに、前記投票者端末より前記データ投入用画面上で投入されたデータを受け付けるインターフェース部と、
受け付けたデータを記憶する記憶部と、
この記憶部に記憶されたデータを項目別に集計する情報分析部と
を備えたことを特徴とする投票投稿システム。
【請求項２】
請求項１に記載された投票投稿システムにおいて、
電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備え、
前記投票運営システムは、少なくとも前記項目一覧蓄積部と前記情報分析部とを有し、
前記サイト運営システムは、少なくとも前記第１の情報公開部と前記インターフェース部と前記記憶部とを有する
ことを特徴とする投票投稿システム。
【請求項３】
請求項１または２に記載された投票投稿システムにおいて、
さらに、
投票にて収集可能な項目を例示するサンプル項目一覧を記憶したサンプル蓄積部を備え、
前記項目一覧蓄積部は、
前記サンプル蓄積部から取得したサンプル項目一覧を加工して得られた項目一覧を記憶する
ことを特徴とする投票投稿システム。
【請求項４】
請求項３に記載された投票投稿システムにおいて、
電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備え、
前記投票運営システムは、少なくとも前記項目一覧蓄積部と前記情報分析部とを有し、
前記サイト運営システムは、少なくとも前記サンプル蓄積部と前記第１の情報公開部と前記インターフェース部と前記記憶部とを有する
ことを特徴とする投票投稿システム。
【請求項５】
請求項１乃至４のいずれか１つに記載された投票投稿システムにおいて、
さらに、
集計結果を閲覧端末に表示させる第２の情報公開部と
を備えたことを特徴とする投票投稿システム。
【請求項６】
請求項５に記載された投票投稿システムにおいて、
電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備え、
前記投票運営システムは、少なくとも前記項目一覧蓄積部と前記情報分析部と前記第２の情報公開部を有し、
前記サイト運営システムは、少なくとも前記第１の情報公開部と前記インターフェース部と前記記憶部とを有する
ことを特徴とする投票投稿システム。
【請求項７】
請求項１乃至６のいずれか１つに記載された投票投稿システムにおいて、
さらに
前記項目一覧に定める項目を編集する編集部
を備えたことを特徴とする投票投稿システム。
【請求項８】
請求項１乃至７のいずれか１つに記載された投票投稿システムにおいて、
前記第１の情報公開部は、前記投票端末のアクセスに対して予め定められたＩＤとパスワードとによる認証を行い、認証されたことを条件に前記データ投入用の画面におけるデータの投入を可能とする
ことを特徴とする投票投稿システム。
【請求項９】
投票にて収集したい項目を定めた項目一覧を記憶した項目一覧蓄積部から前記項目一覧を取得する項目一覧取得ステップと、
前記項目一覧蓄積部から取得した前記項目一覧に基づいて、選択入力可能な項目と任意の文字を記述入力可能な投稿欄とを有するデータ投入用画面を作成し、電子的ネットワークを介して投票者端末に表示させる第１の情報公開ステップと、
前記投票者端末より前記データ投入用画面上で投入されたデータを受け付けて記憶部に記憶する受付ステップと、
前記記憶部に記憶されたデータを項目別に集計する情報分析ステップと
を備えたことを特徴とする投票投稿方法。
【請求項１０】
請求項９に記載された投票投稿方法において、
電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、
少なくとも前記項目一覧取得ステップと、前記第１の情報公開ステップと、前記受付ステップとは、前記サイト運営システムにおいて実行され、
前記情報分析ステップは、前記投票運営システムにおいて実行される
ことを特徴とする投票投稿方法。
【請求項１１】
請求項９または１０に記載された投票投稿方法において、
さらに、
投票にて収集可能な項目を例示するサンプル項目一覧を記憶したサンプル蓄積部から前記サンプル項目一覧を取得するサンプル取得ステップと、
取得した前記サンプル項目一覧を加工して得られた前記項目一覧を前記項目一覧蓄積部に記憶する加工ステップと
を有することを特徴とする投票投稿方法。
【請求項１２】
請求項１１に記載された投票投稿方法において、
電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、
少なくとも前記サンプル取得ステップと、前記加工ステップと、前記項目一覧取得ステップと、前記第１の情報公開ステップと、前記受付ステップとは、前記サイト運営システムにおいて実行され、
前記情報分析ステップは、前記投票運営システムにおいて実行される
ことを特徴とする投票投稿方法。
【請求項１３】
請求項９乃至１２のいずれか１つに記載された投票投稿方法において、
さらに、
集計結果を閲覧端末に表示させる第２の情報公開ステップと
を有することを特徴とする投票投稿方法。
【請求項１４】
請求項１３に記載された投票投稿方法において、
電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、
少なくとも前記項目一覧取得ステップと、前記第１の情報公開ステップと、前記受付ステップとは、前記サイト運営システムにおいて実行され、
少なくとも前記情報分析ステップと、前記第２の情報公開ステップとは、前記投票運営システムにおいて実行される
ことを特徴とする投票投稿方法。
【請求項１５】
請求項９乃至１４のいずれか１つに記載された投票投稿方法において、
さらに
前記項目一覧に定められた項目を編集するステップ
を有することを特徴とする投票投稿方法。
【請求項１６】
請求項９乃至１５のいずれか１つに記載された投票投稿方法において、
さらに、前記投票端末のアクセスに対して予め定められたＩＤとパスワードとによる認証を行う認証ステップを有し、
前記第１の情報公開ステップは、前記認証ステップにおいて認証されたことを条件に前記データ投入用の画面におけるデータの投入を可能とする
ことを特徴とする投票投稿方法。
【請求項１７】
電子的ネットワークに接続可能な投票端末であって、
ＩＤおよびパスワードを入力する手段と、
選択入力可能な項目と任意の文字を記述入力可能な投稿欄とを有するデータ投入用画面を表示する画面表示手段と、
前記データ投入用画面上で投入されたデータを送信する送信手段と
を備え、
前記ＩＤおよびパスワードにより認証されたことを条件に前記データ投入用画面上でのデータの投入が可能となる
ことを特徴とする投票投稿端末。
【発明の詳細な説明】
【技術分野】
【０００１】
本発明は、例えばアンケート調査等に伴う投票及び投稿を単一メディアで行う投票投稿システムおよび方法、ならびに投票投稿端末に関する。より具体的には、電子的ネットワークを利用した投票投稿システムおよび方法、ならびに投票投稿端末に関する。
【背景技術】
【０００２】
従来より、例えばＴＶ番組等においてアンケート調査を行う際には、視聴者に対して「あなたはＡＢＣＤ・・ＸＹＺに賛成ですか？反対ですか？  ０１８０−ＸＸＸにダイヤルし、賛成は＜１＞を、反対は＜２＞をダイヤルして下さい。」という問いかけを行って電話投票を実施するととともに、「ＡＢＣＤ・・ＸＹＺに関するご意見をお聞かせ下さい。受付電話番号は、・・・・・    、ＦＡＸ番号は、・・・・・    」という意見投稿の依頼が行われている。
【０００３】
このような従来の電話を用いたアンケート調査においては、電話による投票と電話またはＦＡＸによる意見投稿とが別々に行われ、投票と意見投稿は別々のメディア手段が使われてきた。
しかも、このようなこれまでの電話投票システムでは、投票項目をダイヤル番号にて選択するだけしかできなかった。また、これまでの電話投票システムには事前に契約が必要であり、投票する項目も契約時に設定され、項目を変更したい場合は、契約手続き変更が必要であった。
さらに、意見投稿については、電話による伝言をオペレータにより受け付けるか、ＦＡＸ若しくは電子メールにより受け付けてこれをオペレータにより手集計されていた。
【０００４】
電話投票システムについての最近の公知文献としては、特許文献１、特許文献２があげられる。ここで特許文献１に記載された「投票用公衆電話システム、投票用公衆電話装置、選挙管理センタ装置および投票集計センタ装置」は、有権者による複数回投票、カード情報で起こる漏洩や不正な投票行為、公衆電話システムでの投票の漏洩や不正行為等を防止することを目的として、投票用公衆電話装置に、ＩＤ情報を入手する投票カード読み取り手段と、指紋等の被照合情報を得る認証補助装置と、投票結果を生成する電子投票作成手段と、施錠扉の異常開錠を通報する投票用公衆電話ボックスと、有権者の映像を得る有権者映像取得カメラと、認証と投票操作の投票操作管理手段を備え、選挙管理センタ装置が、選挙用認証情報、投票履歴等の保存と照合処理をする有権者情報管理手段と、候補者情報管理手段と、複数回投票の無効化依頼、有権者の映像を監視、異常通報受信時の情報記録と通知を行う選挙監視手段を備え、投票集計センタ装置が、電子投票受付手段と、電子投票データの保存、投票結果の集計、複数回投票の無効化処理をする投票結果管理手段とを設けることが開示されている。
また、特許文献２に記載された「音声応答電話投票システム」は、投票者がプッシュホン電話機を操作してＰＢ音で入力した投票データ、照会コードの申込に音声応答すると共に投票の集計センターと交信し、投票データの登録及び照会結果を加入者に音声案内するものである。
【０００５】
しかしながら、特許文献１および特許文献２に記載されたいずれの発明も、投票のみを扱うのであって、投票者個人の意見を文書で記述することなどを通じて伝達できるものではなかった。
【０００６】
【特許文献１】特開２００３−９９５５７号公報
【特許文献２】特開２００２−２３２５７２号公報
【発明の開示】
【発明が解決しようとする課題】
【０００７】
そこで、本発明の目的は、投票と意見投稿とを同一のメディアによって行えるようにすることにある。また、本発明の目的は、投票の集計項目を容易に追加変更が可能とすることである。
【課題を解決するための手段】
【０００８】
上述の目的を達成するために、本発明にかかる投票投稿システムは、投票にて収集したい項目を定めた項目一覧を記憶した項目一覧蓄積部と、この項目一覧蓄積部から取得した前記項目一覧に基づいて、選択入力可能な項目と任意の文字を記述入力可能な投稿欄とを有するデータ投入用画面を作成する第１の情報公開部と、前記データ投入用画面を電子的ネットワークを介して投票者端末に表示させるとともに、前記投票者端末より前記データ投入用画面上で投入されたデータを受け付けるインターフェース部と、受け付けたデータを記憶する記憶部と、この記憶部に記憶されたデータを項目別に集計する情報分析部とを備えたものである。
【０００９】
このような投票投稿システムは、電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備え、前記投票運営システムは、少なくとも前記項目一覧蓄積部と前記情報分析部とを有し、前記サイト運営システムは、少なくとも前記第１の情報公開部と前記インターフェース部と前記記憶部とを有するように構成することができる。
【００１０】
さらに、投票にて収集可能な項目を例示するサンプル項目一覧を記憶したサンプル蓄積部を備え、前記項目一覧蓄積部は、前記サンプル蓄積部から取得したサンプル項目一覧を加工して得られた項目一覧を記憶するようにしてもよい。
【００１１】
電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備える場合には、前記投票運営システムは、少なくとも前記項目一覧蓄積部と前記情報分析部とを有し、前記サイト運営システムは、少なくとも前記サンプル蓄積部と前記第１の情報公開部と前記インターフェース部と前記記憶部とを有するように構成することができる。
【００１２】
さらに、集計結果を閲覧端末に表示させる第２の情報公開部と
を備えるようにしてもよい。
【００１３】
電子的ネットワークを介して互いに接続可能な、投票にて収集したい項目を定める投票運営システムと、前記投票者端末が前記電子的ネットワークを介してアクセス可能な投票投稿用のサイトを運営するサイト運営システムとを備える場合には、前記投票運営システムは、少なくとも前記項目一覧蓄積部と前記情報分析部と前記第２の情報公開部を有し、
前記サイト運営システムは、少なくとも前記第１の情報公開部と前記インターフェース部と前記記憶部とを有するように構成することができる。
【００１４】
さらに前記項目一覧に定める項目を編集する編集部を設けてもよい。
また、前記投票端末のアクセスに対して予め定められたＩＤとパスワードとによる認証を行い、認証されたことを条件に前記データ投入用の画面におけるデータの投入を可能とするようにしてもよい。
【００１５】
また、本発明にかかる投票投稿方法は、投票にて収集したい項目を定めた項目一覧を記憶した項目一覧蓄積部から前記項目一覧を取得する項目一覧取得ステップと、前記項目一覧蓄積部から取得した前記項目一覧に基づいて、選択入力可能な項目と任意の文字を記述入力可能な投稿欄とを有するデータ投入用画面を作成し、電子的ネットワークを介して投票者端末に表示させる第１の情報公開ステップと、前記投票者端末より前記データ投入用画面上で投入されたデータを受け付けて記憶部に記憶する受付ステップと、前記記憶部に記憶されたデータを項目別に集計する情報分析ステップとを備えたものである。
【００１６】
このとき、電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、少なくとも前記項目一覧取得ステップと、前記第１の情報公開ステップと、前記受付ステップとは、前記サイト運営システムにおいて実行され、前記情報分析ステップは、前記投票運営システムにおいて実行されるようにしてもよい。
【００１７】
また、さらに、投票にて収集可能な項目を例示するサンプル項目一覧を記憶したサンプル蓄積部から前記サンプル項目一覧を取得するサンプル取得ステップと、取得した前記サンプル項目一覧を加工して得られた前記項目一覧を前記項目一覧蓄積部に記憶する加工ステップとを有するようにしてもよい。
【００１８】
このとき、電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、少なくとも前記サンプル取得ステップと、前記加工ステップと、前記項目一覧取得ステップと、前記第１の情報公開ステップと、前記受付ステップとは、前記サイト運営システムにおいて実行され、前記情報分析ステップは、前記投票運営システムにおいて実行されるようにしてもよい。
【００１９】
さらに、集計結果を閲覧端末に表示させる第２の情報公開ステップと
を有するようにしてもよい。
このとき、電子的ネットワークを介して互いに接続可能な、投票にて収集したい項目を定めた項目一覧を記憶した項目一覧蓄積部を少なくとも備える投票運営システムと、前記投票者端末が前記電子的ネットワークを介してアクセス可能な投票投稿用のサイトを運営するサイト運営システムとの間において、少なくとも前記項目一覧取得ステップと、前記第１の情報公開ステップと、前記受付ステップとは、前記サイト運営システムにおいて実行され、少なくとも前記情報分析ステップと、前記第２の情報公開ステップとは、前記投票運営システムにおいて実行されるようにしてもよい。
【００２０】
さらに前記項目一覧に定められた項目を編集するステップを有するようしにてもよい。
また、さらに、前記投票端末のアクセスに対して予め定められたＩＤとパスワードとによる認証を行う認証ステップを有し、前記第１の情報公開ステップは、前記認証ステップにおいて認証されたことを条件に前記データ投入用の画面におけるデータの投入を可能としてもよい。
【００２１】
また、本発明にかかる投票端末は、電子的ネットワークに接続可能な投票端末であって、ＩＤおよびパスワードを入力する手段と、選択入力可能な項目と任意の文字を記述入力可能な投稿欄とを有するデータ投入用画面を表示する画面表示手段と、前記データ投入用画面上で投入されたデータを送信する送信手段とを備え、前記ＩＤおよびパスワードにより認証されたことを条件に前記データ投入用画面上でのデータの投入が可能となることを特徴とする。
【発明の効果】
【００２２】
本発明によれば、選択入力可能な項目と任意の文字を記述入力可能な投稿欄とを有するデータ投入用画面を電子的ネットワークを介して投票者端末に表示させ、この投票者端末においてこのデータ投入用画面上で投入されたデータを受け付けるようにしたので、投票と意見投稿とを同一のメディアによって行うことができる。したがって、例えば、インターネットウェブ上で同一メディアのシステムにて投票と意見投稿を可能とすることにより、投稿と意見集約についてそれぞれのサービスに契約する必要がなくなる。更に、投票のデータ集計と意見投稿の集約が同一システムにて容易に実行することが可能となる。
また、データ投入用画面を項目一覧蓄積部から取得した項目一覧に基づいて作成するので、この項目一覧を編集することによって、投票の集計項目を容易に追加変更が可能となる。したがって、例えば、投票運営者が項目一覧の中の項目情報を記述あるいは追記・修正することにより、投票者端末画面上の投票項目を容易に設定／変更することが可能となる。
また、電子的ネットワークを介して互いに接続可能な投票運営システムとサイト運営システムとに投票投稿に関する機能を分散させることにより、投票運営者はインターネットウェブ上でのアンケート調査での投票／投稿を安価にかつ即時に実行することが可能となる。更に投票運営者は１つのシステムで複数のサイト運営者にまたがってのアンケート調査を実施することが可能となる。また、サイト運営者は多くの投票運営体に同じサービスを提供可能であって多数のビジネス機会を期待できる。
【発明を実施するための最良の形態】
【００２３】
以下に、本発明の実施の形態について、図面を参照しながら説明する。
［第１の実施の形態］
本発明の第１の実施の形態にかかる投票投稿システムは、インターネット（ＩＰ網）に接続可能な投票者端末に表示されたデータ投入用画面から投票および投稿を行うことができるものである。
図１に第１の実施の形態にかかる投票投稿システムの概略を示す。図１に示すように、本実施の形態においては、投票運営体（投票運営システム）１とサイト運営体（サイト運営システム）２とがＩＰ網３を介して互いに接続可能に設けられている。
【００２４】
投票運営システム１は、ネットワーク接続部（ＩＮＴ）１６を介してＩＰ網３に接続されたコンピュータシステムであって、投票にて収集したい項目を定めた項目一覧を記憶した項目一覧蓄積部１２と、ＩＰ網３とネットワーク接続部ＩＮＴ１６を経由してサイト運営システム２に対して後述する投票／投稿データを記憶したデータベース（投票／投稿ＤＢ）２２に記憶された投票／投稿データを要求して取得する情報閲覧部１３と、取得した投票／投稿データを項目別に集計する情報分析部１４と、情報分析部１４による集計結果から集計結果表示画面を作成し、ＩＰ網を介して閲覧端末となる受信者端末５に表示させる情報公開部１５とを備えている。また、投票運営システム１は運営者端末１１を備え、投票運営体は、この運営者端末１１から投票にて収集したい項目を定めた項目一覧を設定し項目一覧蓄積部１２に保持させることができる。
【００２５】
一方、サイト運営システム２は、情報公開部２１とデータベース（投票／投稿ＤＢ）２２とインターネットサイト機能部（ＩＳ機能部）２３とを備えている。
ここで、情報公開部２１は、より詳細には次のような機能を有する。情報公開部２１の第１の機能は、上述した投票運営システム１の項目一覧蓄積部１２から項目一覧を取得し、この項目一覧に基づいてデータ投入用画面を作成するデータ投入用画面作成機能である。このデータ投入用画面は、選択入力可能な投票用の項目と任意の文字を記述入力可能な意見投稿用の投稿欄とを有する。
情報公開部２１の第２の機能は、このようなデータ投入用画面をＩＳ機能部２３およびＩＰ網３を介して投票者端末４に表示させるとともに、投票者端末４よりデータ投入用画面上で投入された投票／投稿データを受け付けるインターフェース機能である。
さらに、情報公開部２１の第３の機能は、データベース２２の記憶内容を更新することによって、受け付けたデータをデータベース２２に保持させるとともに、上述した投票運営システム１の情報閲覧部１３からの要求に応じてデータベース２２に保持されている投票／投稿データをＩＰ網３を介して投票運営システム１に送信する情報管理機能である。
【００２６】
サイト運営システム２の投票／投稿ＤＢ２２は、投票者端末４より受け付けた投票／投稿データを保持するデータベースである。また、ＩＳ機能部２３は、情報公開部２１とＩＰ網３の間にあってＩＰによる通信サーバの働きをする。
【００２７】
以上のような構成により、投票運営体が、投票運営システム１において、独自に項目一覧を作成すると、この項目一覧に基いてサイト運営システム２において、投票者のデータ投入用の表示画面が作成され、このデータ投入用表示画面が投票者端末４に配布され表示される。したがって、投票者は、投票者端末４に表示されたデータ投入用表示画面という単一メディア上で投票と投稿とを行うことができる。このようにデータ投入用表示画面上において投入された投票／投稿データは、データベース２２に記憶保持され、投票運営システム１の情報閲覧部１３および情報分析部１４による閲覧および分析に供される。
【００２８】
なお、上述した投票運営システム１およびサイト運営システム２は、いずれも、ＩＰ網３に接続可能なコンピュータとプログラムによって実現することができる。また、各システム１、２は、それぞれ１台のコンピュータ上に構築してもよいが、それぞれを複数のコンピュータをＬＡＮ等のネットワークで接続したネットワーク環境において構築してもよいことは言うまでもない。
また、投票者端末４と受信者端末５は固定端末の例えばデスクトップパソコンの場合もあれば携帯電話のような無線端末の場合もあり得る。また、図１においては投票者端末４と受信者端末５はそれぞれ1台づつ描かれているが、各々複数台数（例えば何万台〜数百万台以上）である場合にもあり得ることは言うまでもない。
【００２９】
ここで、本実施の形態にかかる投票投稿システムにおけるデータ投入用画面について説明する。投票運営システム１の項目一覧蓄積部１２に記憶された「項目一覧」は、互いに関連する複数種類のデータ、すなわち、投票にて収集したい項目を定めたデータの構造を定義したものということができる。このような項目一覧としては、例えば、「賛成」／「反対」といった賛否を問う項目や、例えば、投票者の性別や住所、年齢等を問う項目と、投票者が自由に意見を書き込めるフリーな項目とを順序づけたものが考えられる。また、意見を書き込む項目以外の項目に対しては、「賛成」／「反対」や「都道府県名」等をメニュー形式で予め定義しておいてもよい。
運営者端末１１は、項目一覧に定める項目を編集する編集部として作用し、どのような項目を定義するかは、投票運営体が運営者端末１１から必要な情報を入力することによって定めることができる。
【００３０】
サイト運営システム２の情報公開部２１は、項目一覧蓄積部１２から取得した上述した項目一覧に基づき投票者端末４に表示させるＷｅｂ画面を作成する。Ｗｅｂ画面（データ投入用画面）の作成は、サイト運営システム２を構成するコンピュータにインストールされたＷｅｂ画面作成プログラムによって実現される。
図２に、投票者端末４に表示されるデータ投入用画面の一例を示す。図２に示すように、投票者端末４におけるインタ−ネットのブラウザ画面としてのデータ投入用画面（投票画面）には、「賛否」を問う投票部分１０１と自己の意見を入力する投稿部分１０２とが含まれており、さらには「性別」、「年齢」、「都道府県」等の入力項目が設けられている。
【００３１】
ここで「賛否」、「性別」および「都道府県」の各項目に対しては、プルダウンメニューが用意されており、投票者は、これらのメニューの中からそれぞれ適当なものを選択することにより、投票に必要な情報を入力することができる。このようなデータ投入用画面においては、投票部分１０１に記入しない限り投稿部分１０２に記入不可とすることも可能であるし、また、全ての項目に対して記入しないと、その結果を送信出来ない、すなわち投票投稿できないようにすることも可能である。
なお、このようなデータ投入用画面は、例えばいわゆる「ｂｌｏｇ」（Ｗｅｂｌｏｇ）を利用した投票者端末４上に表示させることができる。
また、システムが稼動中に運営者端末１１から項目一覧の追記変更を行うことで、図２に示される投票画面の項目情報を追記変更することが可能である。
【００３２】
次に、本実施の形態にかかる投票投稿システムの動作について図３に示すシーケンス図を参照して説明する。
まず、投票運営システム１において、投票運営体は運営者端末１１から投票にて収集したい項目を定めた項目一覧を設定し（ステップ１）、この項目一覧を項目一覧蓄積部１２が蓄積保持する（ステップ２）。
サイト運営システム２の情報公開部２１によって、上述した項目一覧蓄積部１２からＩＰ網３を経由して項目一覧を取得する（ステップ３）。
情報公開部２１は、取得した項目一覧からデータ投入用の表示画面を作成し、ＩＰ網３を経由して投票者端末４に転送する（ステップ４）。
投票者端末４において表示されたデータ投入用の表示画面上で投票／投稿データが投入されると（ステップ５）、ＩＰ網３を経由してサイト運営システム２の情報公開部２１がこの投票／投稿データを受信してデータベース２２に蓄積し（ステップ６）、データベース２２は、記憶内容を更新して投票／投稿データを保持する（ステップ７）。
【００３３】
次に、投票運営システム１の情報閲覧部１３よりＩＰ網３を経由してサイト運営システム２の情報公開部２１に対して投票／投稿データを要求すると（ステップ８）、情報公開部２１が更新済みの投票／投稿データをデ−タベース２２から取得してこれをＩＰ網３を経由で情報閲覧部１３に転送し（ステップ９）、投票運営システム１の情報閲覧部１３がこのデータを取得保持する（ステップ１０）。取得したデータを情報分析部１４が集計分析し（ステップ１１）、投票運営システム１の情報公開部１５がこの集計分析結果から集計結果表示画面を作成し、受信端末５に転送する（ステップ１２）。受信端末５において結果表示画面により投票結果を表示する（ステップ１３）。
【００３４】
以上のように選択入力可能な項目と任意の文字を記述入力可能な投稿欄とを有するデータ投入用画面をＩＰ網を介して投票者端末に表示させ、この投票者端末においてこのデータ投入用画面上で投入されたデータを受け付けるようにしたので、投票と意見投稿とを同一のメディアによって行うことができる。
また、インターネットという同一メディアにて同時に投票と意見投稿を可能とすることにより、従来のように投票と意見集約についてそれぞれのサービスに契約する必要がなくなる。更に、投票のデータ集計と意見投稿の集約が同一システムにて容易に実行することが可能となる。
また、項目一覧に基づいてデータ投入用画面を作成するので、この項目一覧を編集することによって、投票の集計項目を容易に追加変更が可能となる。したがって、例えば、投票運営者が項目一覧の中の項目情報を記述あるいは追記・修正することにより、投票者端末画面上の投票項目を容易に設定／変更することが可能となる。
また、ＩＰ網３を介して互いに接続可能な投票運営システム１とサイト運営システム２とに投票投稿に関する機能を分散させ、両者が協働することによって投票投稿システムを実現することにより、投票運営者はインターネットウェブ上でのアンケート調査での投票／投稿を安価にかつ即時に実行することが可能となる。
【００３５】
［第２の実施の形態］
本発明の第２の実施の形態にかかる投票投稿システムについて図４および図５を参照して説明する。なお、上述した第１の実施の形態にかかる投票投稿システムの構成要素と同じ構成要素には同一の符号を付し、その説明を適宜省略する。
第２の実施の形態にかかる投票投稿システムは、例えば自治体のホームページのように、投票運営体とサイト運営体が同じ場合を想定し、投票運営システム６がサイト運営機能を併せ持つものである。すなわち、投票運営体が独自に項目一覧を作成することのみならず、これに基づく投票者データ投入用の表示画面をも投票運営システム１において作成し投票者端末４に配信するものである。
【００３６】
図４に本実施の形態にかかる投票投稿システムの概略を示す。図４に示すように、投票運営システム６は、運営者端末６１と情報公開部６３と項目一覧蓄積部６２とインターネットサイト運営機能部（ＩＳ機能部）６５と情報分析部６４とを備えている。
ここで項目一覧蓄積部６２は、上述した第１の実施の形態にかかる投票投稿システムと同様に、投票運営体が運営者端末６１から設定した、投票にて収集したい項目を定めた項目一覧を保持する。
【００３７】
情報公開部６３は、次のような４つの機能を有する。まず、第１の機能は、上述した項目一覧蓄積部６２から項目一覧を取得し、この項目一覧に基づいてデータ投入用画面を作成するデータ投入用画面作成機能である。情報公開部６３の第２の機能は、このようなデータ投入用画面をＩＳ機能部６５およびＩＰ網３を介して投票者端末４に表示させるとともに、投票者端末４よりデータ投入用画面上で投入された投票／投稿データを受け付けるインターフェース機能である。また、情報公開部６３の第３の機能は、データベース６６の記憶内容を更新することによって、受け付けたデータをデータベース６６に保持させるとともに、情報分析部６４からの要求に応じてデータベース６６に保持されている投票／投稿データを情報分析部６４に送信する情報管理機能である。さらに、第４の機能として、情報分析部６４による集計結果から集計結果表示画面を作成し、ＩＰ網を介して閲覧端末となる受信者端末５に表示させる分析結果公開機能である。
【００３８】
次に、本実施の形態にかかる投票投稿システムの動作について図５に示すシーケンス図を参照して説明する。
まず、投票運営体は、投票運営システム６の運営者端末６１から投票にて収集したい項目を定めた項目一覧を設定し（ステップ２１）、これを項目一覧蓄積部６２が蓄積保持する（ステップ２２）。
情報公開部６３は、項目一覧蓄積部６２から項目一覧を取得し（ステップ２３）、取得した項目一覧からデータ投入用の表示画面を作成してＩＰ網３を経由して投票者端末４に配信する（ステップ２４）。
投票者は、投票者端末４に表示されたデータ投入用画面上でデータ投入を行う（ステップ２５）。この投入された投票／投稿データは、ＩＰ網３を経由して投票者端末４より情報公開部６３において受信され（ステップ２６）、投票／投稿データベース６６に蓄積される（ステップ２７）。これによって、投票／投稿デ−タベース６６は該投票データを保持更新する。
情報分析部６４が投票／投稿デ−タベース６６に蓄積された投票／投稿データを集計分析する（ステップ２８）。情報公開部６５が、情報分析部６４による集計分析結果から集計結果表示画面を作成して、受信端末５に転送し（ステップ２９）、受信端末５にその集計結果を表示させる（ステップ３０）。
【００３９】
［第３の実施の形態］
本発明の第３の実施の形態にかかる投票投稿システムについて図６および図７を参照して説明する。なお、上述した第１の実施の形態にかかる投票投稿システムの構成要素と同じ構成要素には同一の符号を付し、その説明を適宜省略する。
本実施の形態にかかる投票投稿システムは、図６に示すように、ＩＰ網３を介して互いに接続可能な投票運営システム１とサイト運営システム８とからなる点において、上述した第１の実施の形態と共通するものの、投票にて収集可能な項目を例示するサンプル項目一覧をサイト運営システム８が保持しており、投票運営体は、このサンプル項目一覧を編集加工して項目一覧を作成することができるという特徴を有する。
【００４０】
まず、投票運営システム１は、ネットワーク接続部（ＩＮＴ）１６を介してＩＰ網３に接続されたコンピュータシステムであって、投票にて収集したい項目を定めた項目一覧を記憶した項目一覧蓄積部１２と、ＩＰ網３とネットワーク接続部ＩＮＴ１６を経由してサイト運営システム８に対して、後述する投票／投稿データを記憶したデータベース（投票／投稿ＤＢ）２２に記憶された投票／投稿データを要求して取得する情報閲覧部１３と、取得した投票／投稿データを項目別に集計する情報分析部１４と、情報分析部１４による集計結果から集計結果表示画面を作成し、ＩＰ網を介して閲覧端末となる受信者端末５に表示させる情報公開部１５とを備えている。また、投票運営システム１は運営者端末１１を備えている。
【００４１】
一方、サイト運営システム８は、情報公開部８１と項目一覧蓄積部８２とインターネットサイト機能部（ＩＳ機能部）８３とデータベース（投票／投稿ＤＢ）８４とを備えている。
ここで、項目一覧蓄積部８２は、投票にて収集可能な項目を例示するサンプル項目一覧を保持した記憶装置である。投票運営体は、投票運営システム１において、運営者端末１１からＩＰ網３およびサイト運営システム８の情報公開部８１を経由して項目一覧蓄積部８２が保持するサンプル項目一覧を取得し、このサンプル項目一覧を加工編集することによって、容易に投票にて収集したい項目を定めた項目一覧を設定することができる。このようにしてサンプル項目一覧を元に作成された項目一覧は、投票運営システム１の項目一覧蓄積部１２に保持され、さらにはこの項目一覧に基づいてサイト運営システム８の情報公開部８１によって投票者端末４に表示されるデータ投入用画面が作成される。
【００４２】
また、サイト運営システム８の情報公開部８１は、上述した第１の実施の形態において説明した情報公開部２１の機能に加えて、項目一覧記憶部８２からサンプル項目一覧を取得して投票運営システム１に送付する機能を備えている。したがって、本実施の形態においては、投票運営体は、運営者端末１１からＩＰ網３を介してサイト運営システム８の項目一覧蓄積部８２からサンプル項目一覧を取得してこれを編集加工することによって、投票運営システム１の項目一覧蓄積部１２に蓄積する項目一覧とすることができる。
【００４３】
次に、本実施の形態にかかる投票投稿システムの動作を図７のシーケンス図を用いて更に詳細に説明する。
まず、投票運営体が投票運営システム１の運営者端末１１からサイト運営システム８の項目一覧蓄積部８２が保持するサンプル項目一覧を情報公開部８１及びＩＰ網３を介して取得し（ステップ４０）、このサンプル項目一覧を運営者端末１１上において編集加工して、投票にて収集したい項目を定めた項目一覧を設定し（ステップ４１）、これを項目一覧蓄積部１２が蓄積保持する（ステップ４２）。
しかる後、サイト運営システム８の情報公開部８１は、投票運営システム１の項目一覧蓄積部１５からからＩＰ網３を経由して項目一覧を取得する（ステップ４３）。情報公開部８１は、取得した項目一覧からデータ投入用の表示画面を作成し、ＩＰ網３を経由して投票者端末４に転送する（ステップ４４）。
投票者端末４において表示されたデータ投入用の表示画面上で投票／投稿データが投入されると（ステップ４５）、ＩＰ網３を経由してサイト運営システム８の情報公開部８１がこの投票／投稿データを受信してデータベース２２に蓄積し（ステップ４６）、データベース２２は、記憶内容を更新して投票／投稿データを保持する（ステップ４７）。
【００４４】
投票運営システム１の情報閲覧部１３よりＩＰ網３を経由してサイト運営システム８の情報公開部８１に対して投票／投稿データを要求すると（ステップ４８）、情報公開部８１が更新済みの投票／投稿データをデ−タベース２２から取得してこれをＩＰ網３を経由で情報閲覧部１３に転送し（ステップ４９）、投票運営システム１の情報閲覧部１３がこのデータを取得保持する（ステップ５０）。取得したデータを情報分析部１４が集計分析し（ステップ５１）、投票運営システム１の情報公開部１５がこの集計分析結果から集計結果表示画面を作成し、受信端末５に転送する（ステップ５２）。受信端末５において結果表示画面により投票結果を表示する（ステップ５３）。
【００４５】
以上のように、本実施の形態にかかる投票投稿システムにおいては、サイト運営システム８において投票にて収集可能な項目を例示するサンプル項目一覧を保持することによって、投票運営体は、このサンプル項目一覧を編集加工することによって項目一覧を作成することができる。したがって、サイト運営システム８を運営するサイト運営体は、様々な投票運営体が投票の実施行う場合に、サンプルの提供と高信頼度ネットワーク提供で支援するサービスを提供するサービスプロバイダということができる。
これにより、また、サービスプロバイダ、すなわちサイト運営者は、多くの投票運営体に同じサービスを提供可能となり、多数のビジネス機会を期待できる。
【００４６】
［第４の実施の形態］
上述した第３の実施の形態にかかる投票投稿システムでは、サイト運営システム８がサンプル項目一覧を提供しているのは１つの投票運営システム１であるが、本実施の形態にかかる投票投稿システムは、図８に示すように、１つのサイト運営システム１１２より２つ以上の投票運営システム１２０，１２１にサンプル項目一覧を提供するようにしてもよい。また、この場合、サイト運営システム１１２は、投票運営体１２０と投票運営体１２１にサンプル項目一覧を提供し投票者の投票／投稿データを一手に保持更新するデータベースを備えてもよく、また、投票運営システム１２０、１２１ごとに、投票者の投票／投稿データを保持更新する複数のデータベースを備えるようにしてもよい。
【００４７】
［第５の実施の形態］
上述した第１および第３の実施の形態にかかる投票投稿システムにおいては、１つのサイト運営システム１、８を前提として、投票運営システム１の情報閲覧部１３が更新情報を要求するのは１つのサイト運営システム２、８として説明したが、本発明においては、２つ以上のサイト運営システムからの更新情報を要求し集めるように構成することも可能である。図９に本実施の形態にかかる投票投稿システムの概略を示す。ココに示すように、投票運営システム１２３は、複数のサイト運営システム１１０とサイト運営システム１１１とＩＰ網３を介して接続可能である。したがって、本実施の形態においては、複数のサイト運営システムにおいてそれぞれ投票者端末４からの投票／投稿データを収集し、その結果によって図示しないデータベースを更新している。
よって、投票運営者は１つのシステムで複数のサイト運営者にまたがってのアンケート調査を実施することが可能となる。
【００４８】
［第６の実施の形態］
本発明にかかる投票投稿システムにおいては、投票者端末のアクセスに対して予め定められたＩＤとパスワードとによる認証を行い、認証されたことを条件に前記データ投入用の画面におけるデータの投入を可能とするように構成してもよい。
図１０に、本発明の第６の実施の形態にかかる投票投稿システムの概略を示す。投票運営システム９は、ＩＤ発行管理部９１を備える点を除き、上述した第２の実施の形態にかかる投票投稿システムの投票運営システム６とほぼ共通する構成を備えている。
このＩＤ発行管理部９１は、投票者端末４経由で投票する投票者に対して発行されたＩＤとパスワードを管理する。情報公開部９３は、投票者端末４からアクセス要求があると、このＩＤとパスワードによりこのアクセスの認証を行う。投票者端末４においては、認証された後にデータ投入画面にデータ投入が可能となる。
【００４９】
さらに、情報公開部９３が認証するのは特定のＭＡＣアドレスの端末のみとすることで、投票に使用する端末を限定して、投票システムのセキュリテイを向上させることが可能である。このように投票者端末４からのアクセスをＭＡＣアドレスを含む端末ＩＤにより認証することによって、投票者端末４をデータ投入画面にデータ投入が可能となる投票用の専用端末とすることができる。
【００５０】
また、閲覧端末である受信者端末５に対しても、同様の認証を行うことができる。すなわち、投票運営システム９のＩＤ発行管理部９１は、受信者端末５経由で集計結果表示画面を視聴しようとする受信者に発行されたＩＤとパスワードとを管理する。受信者端末５経由の閲覧アクセスをこのＩＤとパスワードにより情報公開部９３が認証することによって、受信者端末５より集計結果表示画面にアクセスできる者を、例えば投票運営体が発行するＩＤとパスワードを保持する情報受信者に限定することができる。
【産業上の利用可能性】
【００５１】
インターネットの普及に伴い、大量の情報に個人が接することが多くなって、個人の判断や意見を集約して社会の合意形成が図られる機会が増加しつつある。本発明による投票投稿システムにより個人の判断や意見を集約して社会の合意形成を得ることがより容易に行われるようになり、インターネットの一層の普及と深化の可能性がある。
【図面の簡単な説明】
【００５２】
【図１】本発明の第１の実施の形態にかかる投票投稿システムの概略を示す図である。
【図２】本発明の第１の実施の形態にかかる投票投稿システムにおける投票者端末に表示されるデータ投入用画面の一例を示す図である。
【図３】本発明の第１の実施の形態にかかる投票投稿システムの動作を示すシーケンス図である。
【図４】本発明の第２の実施の形態にかかる投票投稿システムの概略を示す図である。
【図５】本発明の第２の実施の形態にかかる投票投稿システムの動作を示すシーケンス図である。
【図６】本発明の第３の実施の形態にかかる投票投稿システムの概略を示す図である。
【図７】本発明の第３の実施の形態にかかる投票投稿システムの動作を示すシーケンス図である。
【図８】本発明の第４の実施の形態にかかる投票投稿システムの概略を示す図である。
【図９】本発明の第５の実施の形態にかかる投票投稿システムの概略を示す図である。
【図１０】本発明の第６の実施の形態にかかる投票投稿システムの概略を示す図である。
【符号の説明】
【００５３】
１、６、９、１２０、１２１、１２３…投票運営システム、１１、６１…運営者端末、１２、６２、８２…項目一覧蓄積部、１３…情報閲覧部、１４、６４…情報分析部、１５、６３、９３…情報公開部（投票運営システム側）、１６…インターネットインターフェース、２、８、１１０、１１１、１１２…サイト運営システム、２１、８１…情報公開部（サイト運営システム側）、２２、６６…データベース、２３、６５…インターネットサイト機能部、３…ＩＰ網、４…投票者端末、５…受信者端末、９１…ＩＤ発行管理部。
【図１】
2006293518.tif 000003
【図２】
2006293518.tif 000004
【図３】
2006293518.tif 000005
【図４】
2006293518.tif 000006
【図５】
2006293518.tif 000007
【図６】
2006293518.tif 000008
【図７】
2006293518.tif 000009
【図８】
2006293518.tif 000010
【図９】
2006293518.tif 000011
【図１０】
2006293518.tif 000012